(57)【要約】      （修正有）【課題】歩留率が良くなり、そして生産コストが大量に減少するコネクタを提供する。【解決手段】絶縁本体１００と、第１端子モジュール２００と、第２端子モジュール３００と、を含み、絶縁本体には、連接ポート１１０と、組合ポートとが設けられ、連接ポートと組合ポートとが互いに連接するように、連接ポートが組合ポートの反対側に位置し、第１端子モジュールは、配列方向に沿って配列され、その一端が連接ポートから外部に露呈する複数の第１端子と、これらの第１端子を固定し、組合ポートに組合せられる第１固定具と、第１固定具に設けられる第１係合具とを含み、第２端子モジュールは、配列方向に沿って配列され、その一端が連接ポートから外部に露呈する複数の第２端子と、これらの第２端子を固定し、組合ポート内に組合せられる第２固定具と、第２固定具に設けられ、第１係合具と互いに係合する第２係合具とを含む。【選択図】図３
0003162795.tif 000002
【実用新案登録請求の範囲】
【請求項１】
絶縁本体と、第１端子モジュールと、第２端子モジュールと、を含み、
前記絶縁本体には、連接ポートと、組合ポートと、が設けられ、前記連接ポートと前記組合ポートとが互いに連接するように、前記連接ポートが前記組合ポートの反対側に位置し、
前記第１端子モジュールは、
配列方向に沿って配列され、その一端が前記連接ポートから外部に露呈する複数の第１端子と、
これらの前記第１端子を固定し、前記組合ポートに組合せられる第１固定具と、
前記第１固定具に設けられる第１係合具と、
を含み、
前記第２端子モジュールは、
配列方向に沿って配列され、その一端が前記連接ポートから外部に露呈する複数の第２端子と、
これらの前記第２端子を固定し、前記組合ポート内に組合せられる第２固定具と、
前記第２固定具に設けられ、前記第１係合具と互いに係合する第２係合具と、
を含むコネクタにおいて、
前記第１端子モジュールと前記第２端子モジュールとは、前記第１係合具と前記第２係合具とを互いに係合した後、前記配列方向と垂直する組合方向に沿って、前記組合ポートに挿入されて前記絶縁本体と組合うことを特徴とするコネクタ。
【請求項２】
更に、前記組合方向に沿って延びる金属ケースを含み、前記金属ケースは前記絶縁本体を覆うことを特徴とする、請求項１に記載のコネクタ。
【請求項３】
更に、前記組合方向に沿って延びる仕切ユニットを含み、前記絶縁本体に補助連接ポートが設けられ、前記仕切ユニットは前記連接ポートと前記補助連接ポートとの間に配され、前記金属ケースは前記仕切ユニットを覆うことを特徴とする、請求項２に記載のコネクタ。
【請求項４】
更に、第３端子モジュールと、第４端子モジュールと、を含み、
前記第３端子モジュールは、
配列方向に沿って配列され、その一端が前記補助連接ポートから外部に露呈する複数の第３端子と、
これらの前記第３端子を固定し、前記組合ポートに組合せられる第３固定具と、
前記第３固定具に設けられる第３係合具と、
を含み、
前記第４端子モジュールは、
配列方向に沿って配列され、その一端が前記補助連接ポートから外部に露呈する複数の第４端子と、
これらの前記第４端子を固定し、前記組合ポート内に組合せられる第４固定具と、
前記第４固定具に設けられ、前記第３係合具と互いに係合する第４係合具と、
を含み、
前記第３端子モジュールと前記第４端子モジュールとは、前記第３係合具と前記第４係合具とを互いに係合した後、前記組合ポートに挿入されて前記絶縁本体と組合うことを特徴とする、請求項３に記載のコネクタ。
【請求項５】
前記第１端子モジュールは、更に、第１係り具を含み、前記第１係り具は前記第１固定具から延び出し、前記第４端子モジュールは、更に、第２係り具を含み、前記第２係り具は前記第４固定具から延び出し、前記絶縁本体には、更に、係合溝と、補助係合溝と、が設けられ、前記第１係り具が前記係合溝に係合され、前記第２係り具が前記補助係合溝に係合されることを特徴とする、請求項４に記載のコネクタ。
【請求項６】
これらの前記第１端子とこれらの前記第２端子との他端に環状構造が設けられ、前記各環状構造が前記配列方向に平行することを特徴とする、請求項１に記載のコネクタ。
【請求項７】
前記第１固定具と前記第２固定具とは互いに平行し、前記第１係合具が前記第１固定具の下側に設けられ、前記第２係合具が前記第２固定具の上側に設けられることを特徴とする、請求項１に記載のコネクタ。
【請求項８】
前記絶縁本体の前記組合ポートの側壁には、前記組合方向に沿って延びるスライド溝が設けられ、前記第１固定具の側辺が前記スライド溝内に配されることを特徴とする、請求項７に記載のコネクタ。
【請求項９】
前記第１端子モジュールは、更に、第１係り具を含み、前記第１係り具は前記第１固定具から延び出し、前記絶縁本体には、更に、係合溝が設けられ、前記第１係り具が前記係合溝に係合されることを特徴とする、請求項１に記載のコネクタ。
【考案の詳細な説明】
【技術分野】
【０００１】
本考案は、コネクタに関し、特に、組合せ式の端子モジュールを有するコネクタに関するものである。
【背景技術】
【０００２】
従来の光スイッチには、複数のコンセントコネクタが配列され、前記コンセントコネクタにプラグコネクタを挿入することができる。図１及び図１Ａを参照する。図１は従来の光スイッチ用コネクタの断面図であり、図１Ａは従来の光スイッチ用コネクタの一部の分解斜視図である。コネクタ１は、一つの絶縁本体１０と、複数の端子モジュール２０と、一つの仕切具３０と、一つの金属ケース４０と、を含む。これらの端子モジュール２０は、平板構造であり、一つのパッケージ板２１と、四つの端子２２と、を含み、パッケージ板２１がこれらの端子２２を固定するためのものである。
【０００３】
コネクタ１を組立てたいときには、絶縁本体１０にこれらの端子モジュール２０を垂直に、又は水平にそれぞれ挿入することにより、各端子モジュール２０の上の二つの端子２２が絶縁本体１０の第１連接ポート１１に挿入され、各端子モジュール２０の下の二つの端子２２が絶縁本体１０の第２連接ポート１２に挿入される。この後、絶縁本体１０に仕切具３０を挿入して、金属ケース４０により絶縁本体１０と仕切具３０とを覆う。これにより、従来のコネクタ１に二つのコネクタ１を挿入することができる。
【０００４】
図１Ａから明らかなように、充分の数量の端子２２を設けるために、端子２２のパッケージ板２１の延び方向Ｓ１における厚さをより大きくすることが必要であり、且つ端子２２の末端にある環状構造２３は延び方向Ｓ１に平行することが必要であり、しかし、端子２２は、湾折によって図面に示した形状にすることができず、金属板を切ることだけによって図面に示した形状にすることができ、そうすると、歩留率が悪くなる。また、端子２２を有効に固定し組立作業を便利にするために、パッケージ板２１の体積を更に縮小することができず、そうすると、生産コストが増加する。
【考案の概要】
【考案が解決しようとする課題】
【０００５】
本考案の目的は、固定具により配列方向に沿って配列される複数の端子を固定することにより、端子モジュールが形成され、そうすると、歩留率が良くなり、そして生産コストが減少するコネクタを提供することにある。
【課題を解決するための手段】
【０００６】
本考案のコネクタによると、絶縁本体と、第１端子モジュールと、第２端子モジュールと、を含み、前記絶縁本体には、連接ポートと、組合ポートと、が設けられ、前記連接ポートと前記組合ポートとが互いに連接するように、前記連接ポートが前記組合ポートの反対側に位置し、前記第１端子モジュールは、配列方向に沿って配列され、その一端が前記連接ポートから外部に露呈する複数の第１端子と、これらの前記第１端子を固定し、前記組合ポートに組合せられる第１固定具と、前記第１固定具に設けられる第１係合具と、を含み、前記第２端子モジュールは、配列方向に沿って配列され、その一端が前記連接ポートから外部に露呈する複数の第２端子と、これらの前記第２端子を固定し、前記組合ポート内に組合せられる第２固定具と、前記第２固定具に設けられ、前記第１係合具と互いに係合する第２係合具と、を含むコネクタにおいて、前記第１端子モジュールと前記第２端子モジュールとは、前記第１係合具と前記第２係合具とを互いに係合した後、前記配列方向と垂直する組合方向に沿って、前記組合ポートに挿入されて前記絶縁本体と組合うことを特徴とする。
【０００７】
本考案のコネクタによると、更に、前記組合方向に沿って延びる金属ケースを含み、前記金属ケースは前記絶縁本体を覆うことを特徴とする。
【０００８】
本考案のコネクタによると、更に、前記組合方向に沿って延びる仕切ユニットを含み、前記絶縁本体に補助連接ポートが設けられ、前記仕切ユニットは前記連接ポートと前記補助連接ポートとの間に配され、前記金属ケースは前記仕切ユニットを覆うことを特徴とする。
【０００９】
本考案のコネクタによると、更に、第３端子モジュールと、第４端子モジュールと、を含み、前記第３端子モジュールは、配列方向に沿って配列され、その一端が前記補助連接ポートから外部に露呈する複数の第３端子と、これらの前記第３端子を固定し、前記組合ポートに組合せられる第３固定具と、前記第３固定具に設けられる第３係合具と、を含み、前記第４端子モジュールは、配列方向に沿って配列され、その一端が前記補助連接ポートから外部に露呈する複数の第４端子と、これらの前記第４端子を固定し、前記組合ポート内に組合せられる第４固定具と、前記第４固定具に設けられ、前記第３係合具と互いに係合する第４係合具と、を含み、前記第３端子モジュールと前記第４端子モジュールとは、前記第３係合具と前記第４係合具とを互いに係合した後、前記組合ポートに挿入されて前記絶縁本体と組合うことを特徴とする。
【００１０】
本考案のコネクタによると、前記第１端子モジュールは、更に、第１係り具を含み、前記第１係り具は前記第１固定具から延び出し、前記第４端子モジュールは、更に、第２係り具を含み、前記第２係り具は前記第４固定具から延び出し、前記絶縁本体には、更に、係合溝と、補助係合溝と、が設けられ、前記第１係り具が前記係合溝に係合され、前記第２係り具が前記補助係合溝に係合されることを特徴とする。
【００１１】
本考案のコネクタによると、これらの前記第１端子とこれらの前記第２端子との他端に環状構造が設けられ、前記各環状構造が前記配列方向に平行することを特徴とする。
【００１２】
本考案のコネクタによると、前記第１固定具と前記第２固定具とは互いに平行し、前記第１係合具が前記第１固定具の下側に設けられ、前記第２係合具が前記第２固定具の上側に設けられることを特徴とする。
【００１３】
本考案のコネクタによると、前記絶縁本体の前記組合ポートの側壁には、前記組合方向に沿って延びるスライド溝が設けられ、前記第１固定具の側辺が前記スライド溝内に配されることを特徴とする。
【００１４】
本考案のコネクタによると、前記第１端子モジュールは、更に、第１係り具を含み、前記第１係り具は前記第１固定具から延び出し、前記絶縁本体には、更に、係合溝が設けられ、前記第１係り具が前記係合溝に係合されることを特徴とする。
【考案の効果】
【００１５】
本考案のコネクタによれば、固定具により配列方向に沿って配列される複数の端子を固定することにより、端子モジュールが形成され、そうすると、歩留率が良くなり、そして生産コストが減少するという効果を有する。
【図面の簡単な説明】
【００１６】
【図１】従来の光スイッチ用コネクタの断面図である。
【図１Ａ】従来の光スイッチ用コネクタの一部の分解斜視図である。
【図２】本考案のコネクタの斜視図である。
【図３】本考案のコネクタの一部の分解斜視図である。
【図４】本考案の絶縁本体と端子モジュールとの分解斜視図である。
【図５】本考案の絶縁本体と端子モジュールとの分解斜視図である。
【図６】本考案の第１端子を湾折する前の組合方向から見た表示図である。
【図７】本考案の第２実施例のコネクタの一部の断面図である。
【考案を実施するための形態】
【００１７】
以下、本考案の実施の形態を図面に基づいて説明する。
（第１実施例）
まず、図２を参照する。図２は本考案のコネクタの斜視図である。コネクタ２は、ハブでもいいし、光スイッチでもよい。本考案のコネクタ２は、絶縁本体１００と、仕切ユニット６００と、金属ケース７００と、を含む。金属ケース７００は、絶縁本体１００と仕切ユニット６００とを覆う。仕切ユニット６００と金属ケース７００との間には、連接ポート７１０と、補助連接ポート７２０と、が形成され、これにより、二つのコネクタ２（図示せず）を挿入することができる。実際には、一つのケースに本考案のコネクタ２が多数配列され、そうすると、多数のコネクタ２を挿入することができる。
【００１８】
図３及び図４を参照する。図３は本考案のコネクタの一部の分解斜視図であり、図４は本考案の絶縁本体と端子モジュールとの分解斜視図である。コネクタ２は、一つの絶縁本体１００と、複数の端子モジュールと、一つの仕切ユニット６００と、一つの金属ケース７００と、を含む。これらの端子モジュールは、第１端子モジュール２００と、第２端子モジュール３００と、第３端子モジュール４００と、第４端子モジュール５００と、である。
【００１９】
絶縁本体１００は、金属ケース７００に収容され、その前側に連接ポート１１０と補助連接ポート１２０とが設けられ、その後側に組合ポート１３０が設けられ、連接ポート１１０及び補助連接ポート１２０がそれぞれ組合ポート１３０と連通する。組合ポート１３０の互いに対向する二つの側壁には、スライド溝１３１と、補助スライド溝１３２と、底部スライド溝１３３と、が設けられ、スライド溝１３１と補助スライド溝１３２と底部スライド溝１３３とが組合方向Ｄ１に沿って延びる。第１固定具２２０と第２固定具３２０との側辺はスライド溝１３１内に配される。絶縁本体１００の左右側には、止め具１４０がそれぞれ設けられる。図３に示すように、これらの端子モジュールを互いに組合せた後、組合方向Ｄ１に沿って、これらの端子モジュールを、組合ポート１３０に挿入して、絶縁本体１００に組合せることができる。
【００２０】
仕切ユニット６００は、組合方向Ｄ１に沿って、絶縁本体１００の連接ポート１１０と補助連接ポート１２０との間に挿入される。仕切ユニット６００は金属ケース７００に収容される。
【００２１】
金属ケース７００は、組合方向Ｄ１に沿って延び矩形な断面形状を呈するチューブであり、仕切ユニット６００と絶縁本体１００とを覆う。絶縁本体１００の止め具１４０は金属ケース７００の側壁と係合する。仕切ユニット６００の側壁は金属ケース７００の内壁面に当接することにより、図１に示すように、金属ケース７００の内部が仕切られて連接ポート７１０と補助連接ポート７２０とが形成される。
【００２２】
図４及び図５を参照する。図４は本考案の絶縁本体と端子モジュールとの分解斜視図であり、図５は本考案の絶縁本体と端子モジュールとの分解斜視図である。第１端子モジュール２００は、複数の第１端子２１０と、一つの第１固定具２２０と、一つの第１係合具２３０と、を含む。
【００２３】
これらの第１端子２１０は、Ｌ字形を呈し、配列方向Ｄ２に沿って配列される。各第１端子２１０には、接触端２１１と、水平セクション２１２と、垂直セクション２１３と、固定端２１４と、が順次に設けられる。接触端２１１は連接ポート１１０から外部に露呈する。水平セクション２１２は組合方向Ｄ１に沿って延びる。垂直セクション２１３は延び方向Ｄ３に沿って延びる。水平セクション２１２は垂直セクション２１３に垂直である。
【００２４】
第１固定具２２０は、これらの第１端子２１０を固定するためのものであり、組合ポート１３０に組合せられる。第１係合具２３０は第１固定具２２０の下側に配される。本実施例では、第１固定具２２０は、第１メイン固定具２２１と、第１補助固定具２２３と、を含み、第１係合具２３０は、少なくとも一つの第１メイン係合具２３１と、少なくとも一つの第１補助係合具２３２と、を含む。第１メイン固定具２２１は、組合方向Ｄ１に沿って延び、これらの第１端子２１０の水平セクション２１２をカバーし固定する。第１メイン係合具２３１は、第１メイン固定具２２１の下面に設けられる。第２メイン固定具３２１は、延び方向Ｄ３に沿って延び、これらの第１端子２１０の垂直セクション２１３をカバーし固定する。第１補助係合具２３２は、第１補助固定具２２３の前面に設けられる。第１メイン固定具２２１の両側に第１摺動ブロック２２２がそれぞれ設けられる。第１補助固定具２２３の下部の両側に規制ブロック２２４がそれぞれ設けられる。
【００２５】
第２端子モジュール３００は、複数の第２端子３１０と、一つの第２固定具３２０と、一つの第２係合具３３０と、を含む。
【００２６】
これらの第２端子３１０は、Ｌ字形を呈し、配列方向Ｄ２に沿って配列される。各第２端子３１０には、接触端３１１と、水平セクション３１２と、垂直セクション３１３と、固定端３１４と、が順次に設けられる。接触端３１１は連接ポート１１０から外部に露呈する。水平セクション３１２は組合方向Ｄ１に沿って延びる。垂直セクション３１３は延び方向Ｄ３に沿って延びる。水平セクション３１２は垂直セクション３１３に垂直である。
【００２７】
これらの第１端子２１０から第４端子５１０の固定端は環状構造であり、各環状構造が配列方向Ｄ２に平行する。この技術分野の熟練な技術者は、本考案の端子（第１端子２１０と第２端子３１０と第３端子４１０と第４端子５１０）が一つの金属板を切って湾折して形成できることを知っている。第１端子２１０を例にする場合には、図６から明らかなように、湾折される前の第１端子２１０が条状を呈し、互いに隣接し、これにより、同じ面積を有する金属板からより多くの端子を作製することができ、歩留率が増加する。特に、固定端２１４が連接部２１５と連接するため、第１端子２１０を湾折した後、連接部２１５を分離することにより、第１端子２１０を整然に配列することができる。連接部２１５を分離した後、隣接する固定端２１４同士をそれぞれ前後に湾折することにより、固定端２１４が少なくとも２列になり、回路板に便利に溶接することができる。
【００２８】
第２固定具３２０は、これらの第２端子３１０を固定するためのものであり、第１固定具２２０に平行し、組合ポート１３０に組合せられる。第２係合具３３０は、第２固定具３２０の上側に配され、第１係合具２３０と係合可能である。第１端子モジュール２００と第２端子モジュール３００とは、第１係合具２３０と第２係合具３３０とを係合して組合ポート１３０に挿入することにより、絶縁本体１００と組合うことができる。
【００２９】
本実施例では、第２固定具３２０は、第２メイン固定具３２１と、第２補助固定具３２３と、を含む。第２メイン固定具３２１は第１メイン固定具２２１に平行し、第２補助固定具３２３は第１補助固定具２２３に平行する。第２係合具３３０は、少なくとも一つの第２メイン係合具３３１と、少なくとも一つの第２補助係合具３３２と、を含む。第２メイン固定具３２１は、組合方向Ｄ１に沿って延び、これらの第２端子３１０の水平セクション３１２をカバーし固定する。第２メイン係合具３３１は、第２メイン固定具３２１の上面に設けられる。第２メイン固定具３２１は、延び方向Ｄ３に沿って延び、これらの第２端子３１０の垂直セクション３１３をカバーし固定する。第２補助係合具３３２は、第２補助固定具３２３の背面に設けられる。
【００３０】
図面から明らかなように、本考案の固定具の体積は従来のパッケージ板の体積よりも小さいため、生産コストを減少することができる。
【００３１】
第２メイン固定具３２１の両側に第２係り具３２２がそれぞれ設けられ、第２係り具３２２は第１摺動ブロック２２２と係合するためのものである。第２補助固定具３２３の下部の両側に規制ブロック３２４がそれぞれ設けられる。第１メイン固定具２２１の第１メイン係合具２３１が第２メイン固定具３２１の第２メイン係合具３３１と係合し、第１補助固定具２２３の第１補助係合具２３２が第２補助固定具３２３の第２補助係合具３３２と係合し、第２係り具３２２が第１摺動ブロック２２２と係合したと、第１端子モジュール２００と第２端子モジュール３００とが組合って一体になり、図３に示すように、規制ブロック２２４と規制ブロック３２４とが組合方向Ｄ１に沿って配列される。この後、組合方向Ｄ１に沿って、組合ポート１３０に第１端子モジュール２００と第２端子モジュール３００とを挿入し、このとき、第１摺動ブロック２２２がスライド溝１３１に沿って摺動してスライド溝１３１に固定され、規制ブロック２２４と規制ブロック３２４とは、底部スライド溝１３３に沿って移動して、底部スライド溝１３３に固定される。最後に、これらの第１端子２１０の接触端２１１と、これらの第２端子３１０の接触端３１１とは、連接ポート１１０から外部に露呈する。
【００３２】
第３端子モジュール４００は、複数の第３端子４１０と、一つの第３固定具４２０と、一つの第３係合具４３０と、を含む。これらの第３端子４１０は、配列方向Ｄ２に沿って配列され、その一端が補助連接ポート１２０から外部に露呈する。第３固定具４２０は、これらの第３端子４１０を固定するためのものであり、組合ポート１３０に組合われる。第３係合具４３０は第３固定具４２０に設けられる。第４端子モジュール５００は、複数の第４端子５１０と、一つの第４固定具５２０と、一つの第４係合具５３０と、を含む。これらの第４端子５１０は、配列方向Ｄ２に沿って配列され、その一端が補助連接ポート１２０から外部に露呈する。第４固定具５２０は、これらの第４端子５１０を固定するためのものであり、組合ポート１３０内に組合われる。第４係合具５３０は第４固定具５２０に設けられ、第３係合具４３０と互いに係合する。
【００３３】
第３端子モジュール４００と第４端子モジュール５００とは、第３係合具４３０と第４係合具５３０とを係合して、組合ポート１３０に挿入することにより、絶縁本体１００に組合せることができる。第３端子モジュール４００と第４端子モジュール５００との構造は、第１端子モジュール２００と第２端子モジュール３００との構造に極めて近似するため、その詳細の構造は、図４及び図５に示した第１端子モジュール２００と第２端子モジュール３００との構造を参照する。
【００３４】
第３固定具４２０の第３係合具４３０が第４固定具５２０の第４係合具５３０と係合したと、第３端子モジュール４００と第４端子モジュール５００とが組合って一体になり、図３に示すように、規制ブロック４２４と規制ブロック５２４とが組合方向Ｄ１に沿って配列される。この後、組合方向Ｄ１に沿って、組合ポート１３０に第３端子モジュール４００と第４端子モジュール５００とを挿入し、このとき、第３端子モジュール４００が補助スライド溝１３２に沿って摺動して補助スライド溝１３２に固定され、規制ブロック４２４と規制ブロック５２４とは、底部スライド溝１３３に沿って移動して、底部スライド溝１３３に固定される。最後に、これらの第３端子４１０の接触端４１１と、これらの第４端子５１０の接触端５１１とは、補助連接ポート１２０から外部に露呈する。
【００３５】
（第２実施例）
図７を参照する。図７は本考案の第２実施例のコネクタの一部の断面図である。本実施例の第１実施例と相違する点は、第１端子モジュール２００は、更に、第１係り具２４０を含み、第１係り具２４０は、第１固定具２２０の第１メイン固定具２２１から延び出す。第４端子モジュール５００は、更に、第２係り具５４０を含み、第２係り具５４０は、第４固定具５２０から延び出す。絶縁本体１００には、更に、係合溝１５０と、補助係合溝１６０と、が設けられる。
【００３６】
図７に示すように、組合方向Ｄ１に沿って、組合ポート１３０に第１端子モジュール２００乃至第４端子モジュール５００を挿入することにより、絶縁本体１００に第１端子モジュール２００乃至第４端子モジュール５００を組合うことができる。係合溝１５０の係合壁１５１に第１係り具２４０を係合し、補助係合溝１６０の係合壁１６１に第２係り具５４０を係合することにより、第１端子モジュール２００乃至第４端子モジュール５００の絶縁本体１００からの脱出を防止することができる。
【００３７】
本実施例では、第３係合具４３０ａが溝であり、第４係合具５３０ａが突起であり、なお、第１実施例では、第３係合具４３０が突起であり、第４係合具５３０が溝である。
【００３８】
本考案のコネクタによれば、同じ面積を有する金属板からより多くの端子を作製することができ、歩留率が増加する。そして本考案の固定具の体積は従来のパッケージ板の体積よりも小さいため、生産コストを大量に減少することができる。
【００３９】
なお、本考案は前記実施の形態に限定されるものではなく、本考案の趣旨に基づいて種々変形させることが可能であり、それらを本考案の実用新案登録請求の範囲から排除するものではない。
【産業上の利用可能性】
【００４０】
本考案は、コネクタに適用することができる。
【符号の説明】
【００４１】
１：コネクタ、２：コネクタ、１０：絶縁本体、１１：第１連接ポート、１２：第２連接ポート、２０：端子モジュール、２１：パッケージ板、２２：端子、２３：環状構造、３０：仕切具、４０：金属ケース、１００：絶縁本体、１１０：連接ポート、１２０：補助連接ポート、１３０：組合ポート、１３１：スライド溝、１３２：補助スライド溝、１３３：底部スライド溝、１４０：止め具、１５０：係合溝、１５１：係合壁、１６０：補助係合溝、１６１：係合壁、２００：第１端子モジュール、２１０：第１端子、２１１：接触端、２１２：水平セクション、２１３：垂直セクション、２１４：固定端、２１５：連接部、２２０：第１固定具、２２１：第１メイン固定具、２２２：第１摺動ブロック、２２３：第１補助固定具、２２４：規制ブロック、２３０：第１係合具、２３１：第１メイン係合具、２３２：第１補助係合具、２４０：第１係り具、３００：第２端子モジュール、３１０：第２端子、３１１：接触端、３１２：水平セクション、３１３：垂直セクション、３１４：固定端、３２０：第２固定具、３２１：第２メイン固定具、３２２：第２係り具、３２３：第２補助固定具、３２４：規制ブロック、３３０：第２係合具、３３１：第２メイン係合具、３３２：第２補助係合具、４００：第３端子モジュール、４１０：第３端子、４１１：接触端、４２０：第３固定具、４２４：規制ブロック、４３０，４３０ａ：第３係合具、５００：第４端子モジュール、５１０：第４端子、５１１：接触端、５２０：第４固定具、５２４：規制ブロック、５３０，５３０ａ：第４係合具、５４０：第２係り具、６００：仕切ユニット、７００：金属ケース、７１０：連接ポート、７２０：補助連接ポート、Ｄ１：組合方向、Ｄ２：配列方向、Ｄ３：延び方向、Ｓ１：延び平面
【図１】
0003162795.tif 000003
【図１Ａ】
0003162795.tif 000004
【図２】
0003162795.tif 000005
【図３】
0003162795.tif 000006
【図４】
0003162795.tif 000007
【図５】
0003162795.tif 000008
【図６】
0003162795.tif 000009
【図７】
0003162795.tif 000010